(57)【要約】【課題】光源部が発光した照明光を透過する光学部材の温度を、照明光の光路を遮ることなく、精度よく測定することができる照明装置を提供する。【解決手段】照明光を発光する光源部（１４０）と、前記光源部から発光された照明光を透過させる光学部材（１６０）と、前記光学部材上に設定された第１測定点の温度を測定する温度測定部（１９０）と、前記第１測定点の温度と、前記光学部材上の前記第１測定点から離れた位置に設定された第２測定点の温度との相関関係を表すプロファイル情報を記憶した記憶部（１６７）と、前記温度測定部により測定された前記第１測定点の温度と前記記憶部に記憶された前記プロファイル情報とに基づいて、前記第２測定点の温度を決定する温度決定部（１６６）と、を備える照明装置（１００）。【選択図】図４
2011028232.tif 000002
【特許請求の範囲】
【請求項１】
照明光を発光する光源部と、
前記光源部から発光された照明光を透過させる光学部材と、
前記光学部材上に設定された第１測定点の温度を測定する温度測定部と、
前記第１測定点の温度と、前記光学部材上の前記第１測定点から離れた位置に設定された第２測定点の温度との相関関係を表すプロファイル情報を記憶した記憶部と、
前記温度測定部により測定された前記第１測定点の温度と前記記憶部に記憶された前記プロファイル情報とに基づいて、前記第２測定点の温度を決定する温度決定部と、
を備える照明装置。
【請求項２】
前記第２測定点は、前記光学部材の全域の中で前記光源部から発光された照明光による熱の影響が、前記第１測定点よりも大きい位置に設定されていることを特徴とする請求項１に記載の照明装置。
【請求項３】
前記第１測定点は、前記光学部材の外周部またはその近傍に設定され、
前記第２測定点は、前記光学部材の中央部またはその近傍に設定されていることを特徴とする請求項２に記載の照明装置。
【請求項４】
前記温度測定部は、前記光源部が発光した照明光の光路外に配され、前記第１測定点から放射された光を受光する受光部を備えることを特徴とする請求項１〜請求項３の何れか１項に記載の照明装置。
【請求項５】
前記光源部の光軸方向の位置の情報と、前記光源部から発光される照明光の光量の情報とを取得する情報取得部を更に備え、
前記プロファイル情報は、前記第１測定点の温度と、前記第２測定点の温度と、前記光源部の光軸方向の位置と、前記照明光の光量情報との相関関係を表しており、
前記温度決定部は、前記温度測定部により測定された前記第１測定点の温度と、前記情報取得部が取得した情報と、前記記憶部に記憶された前記プロファイル情報とに基づいて前記第２測定点の温度を決定することを特徴とする請求項１〜請求項４の何れか１項に記載の照明装置。
【請求項６】
前記プロファイル情報は、前記第１測定点の温度と前記第２測定点の温度との相関関係を表すテーブル、マップ、又は演算式であることを特徴とする請求項１〜請求項５の何れか１項に記載の照明装置。
【請求項７】
前記温度測定部は、前記光学部材から放射された赤外光を受光し、その受光量から前記光学部材の温度を測定する赤外放射温度センサを有する請求項１から請求項６の何れか１項に記載の照明装置。
【請求項８】
前記温度測定部は、前記赤外放射温度センサに到達する赤外光を前記第１測定点の周囲から発した赤外光に限定する限定部材を有する請求項７に記載の照明装置。
【請求項９】
前記限定部材は、赤外光を遮断する遮断壁を有する請求項８に記載の照明装置。
【請求項１０】
前記温度測定部は、周囲の雰囲気の温度を測定する周囲温度センサをさらに有し、
前記周囲温度センサは、前記遮断壁において前記赤外放射温度センサよりも前記第１測定点に近い側に配される請求項９に記載の照明装置。
【請求項１１】
前記限定部材は、前記赤外放射温度センサに赤外光を集光するレンズを有する請求項８から１０のいずれかに記載の照明装置。
【発明の詳細な説明】
【技術分野】
【０００１】
本発明は、照明装置に関する。
【背景技術】
【０００２】
発熱素子の発熱温度を推定して閃光の発光を制御する閃光装置が知られている（例えば、特許文献１参照）。また、発熱素子の温度を接触型温度センサにより測定する閃光装置も知られている（例えば、特許文献２参照）。
【先行技術文献】
【特許文献】
【０００３】
【特許文献１】特開平５−２１６０９６号公報
【特許文献２】特開平５−３３３４０８号公報
【発明の概要】
【発明が解決しようとする課題】
【０００４】
光源部が発光した照明光を透過する光学部材の温度を、照明光の光路を遮ることなく、精度よく測定することができる照明装置を提供することを課題とする。
【課題を解決するための手段】
【０００５】
上記課題を解決するために、本発明の第１の態様においては、照明光を発光する光源部（１４０）と、前記光源部から発光された照明光を透過させる光学部材（１６０）と、前記光学部材上に設定された第１測定点の温度を測定する温度測定部（１９０）と、前記第１測定点の温度と、前記光学部材上の前記第１測定点から離れた位置に設定された第２測定点の温度との相関関係を表すプロファイル情報を記憶した記憶部（１６７）と、前記温度測定部により測定された前記第１測定点の温度と前記記憶部に記憶された前記プロファイル情報とに基づいて、前記第２測定点の温度を決定する温度決定部（１６６）と、を備える照明装置（１００）を提供する。
【０００６】
なお、上記の発明の概要は、本発明の必要な特徴の全てを列挙したものではない。また、これらの特徴群のサブコンビネーションもまた、発明となりうる。
【発明の効果】
【０００７】
本発明によれば、光源部が発光した照明光を透過する光学部材の温度を、照明光の光路を遮ることなく精度よく測定可能な照明装置を提供することができる。
【図面の簡単な説明】
【０００８】
【図１】照明装置１００を示す斜視図である。
【図２】照明装置１００を示す斜視図である。
【図３】照明装置１００を示す側断面図である。
【図４】可動筐体１３０を示す側断面図である。
【図５】フレネルレンズ１６０における上下方向の位置と温度と放電管１４２の光軸Ｌ１方向の位置との関係を示すグラフである。
【図６】フレネルレンズ１６０における上下方向の位置と温度と放電管１４２の発光量との関係を示すグラフである。
【図７】照明装置１００を装着した撮像装置２００の構造を模式的に示す縦断面図である。
【図８】他の実施形態に係る撮像装置３００の構造を模式的に示す斜視図である。
【図９】他の実施形態に係る可動筐体６００を示す側断面図である。
【図１０】他の実施形態に係る可動筐体６００の温度測定部を示す側断面図である。
【図１１】他の実施形態に係る可動筐体６００の温度測定部を示す側断面図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、本実施形態に係る照明装置を示す斜視図である。この図に示すように、照明装置１００は、相互に連結された固定筐体１１０と可動筐体１３０とを備えている。
【００１１】
固定筐体１１０は、下端面に配された取付部１２０と、前面に配された補助光光源１１１及びリモート用レディライト１１３とを備えている。取付部１２０は、カメラボディのホットシューに嵌合する取付脚１２２と、ホットシューにおいて信号を伝達する連動接点１２４とを備えている。取付脚１２２をホットシューに嵌合させた状態で、固定筐体１１０が、カメラボディに固定される。
【００１２】
補助光光源１１１は、透明なカバー１１５に覆われており、動作モードに応じて発光する。例えば、補助光光源１１１は、暗い撮影環境下でオートフォーカス動作が実行される場合に、被写体を照明する。また、リモート用レディライト１１３は、照明装置１００から離れた位置で操作する場合に、後述するメインキャパシタへの充電完了を通知する。
【００１３】
可動筐体１３０は、図示の状態において前面に配される閃光発生部１４０と、側面に配されるロック解除ボタン１３６とを備えている。また、可動筐体１３０は、閃光発生部１４０の前面側に、広角拡散板１４１とキャッチライト反射板１４３とを備えている。広角拡散板１４１とキャッチライト反射板１４３とは、可動筐体１３０の内部に収容可能であり、必要に応じて閃光発生部１４０の前面に配したり、可動筐体１３０の内部に収容したりされる。
【００１４】
可動筐体１３０は、後端近傍に配された水平回動部１３２と垂直回動部１３４とを備えている。水平回動部１３２の下端は、固定筐体１１０の上端面に結合され、水平回動部１３２の上端は、垂直回動部１３４を介して可動筐体１３０に結合されている。即ち、可動筐体１３０は、水平回動部１３２及び垂直回動部１３４を介して水平方向及び垂直方向に回動可能に固定筐体１１０に結合されている。従って、閃光発生部１４０を被写体に向けて直接に被写体を照明することができる他、閃光発生部１４０を被写体から外れた方向に向けて、間接光により被写体を照明することもできる。
【００１５】
水平回動部１３２及び垂直回動部１３４は、ロック機構により係止されることによって所定の回動位置で停止される一方、ロック解除ボタン１３６がユーザにより操作された場合には、回動する。これにより、可動筐体１３０が不用意に向きを変えることが防止されている。
【００１６】
閃光発生部１４０は、可動筐体１３０の前面に配されたフレネルレンズ１６０を備えている。また、閃光発生部１４０は、可動筐体１３０の内部に配された後述の光源部を備えており、光源部から発光された閃光を当該フレネルレンズ１６０に対して直交する方向へ照射させる。
【００１７】
図２は、照明装置１００を背面側から示す斜視図である。この図に示すように、固定筐体１１０の背面には、表示部２０２と操作部２０４とが配されている。表示部２０２は、液晶表示パネル１１４とレディライト１１６とを含む。操作部２０４は、複数のボタン１１８とダイアル１１９とを含む。
【００１８】
図３は、照明装置１００を示す側断面図である。この図に示すように、固定筐体１１０は、電池室１１２と、該電池室１１２に収容された電池１８０と、電池１８０により電力を供給されて動作する電子回路１８２とを内蔵している。電子回路１８２は、照明装置１００を制御する後述のＣＰＵ、カメラボディとの通信を司る通信装置等の他、閃光発生部１４０に供給する高電圧を発生する昇圧回路等も含む。
【００１９】
可動筐体１３０は、閃光発生部１４０の他に、閃光発生部１４０に電力を供給するメインキャパシタ１３８も内蔵する。メインキャパシタ１３８は、電子回路１８２の昇圧回路から印加される高電圧により迅速に充電される。また、電子回路１８２から閃光発生の指令を受けた場合に急速に放電する。
【００２０】
閃光発生部１４０は、閃光を発生する放電管１４２、例えばキセノン管と、放電管１４２が発生した閃光を反射する反射傘１４４とを備えている。放電管１４２は、メインキャパシタ１３８から高電圧を印加された場合に放電して閃光を発生させる。また、反射傘１４４は、閃光発生部１４０の前方側に向けて開口しており、放電管１４２から発光された閃光を、閃光発生部１４０の前方側へ向けて出射させる。なお、閃光の光軸Ｌ１は、フレネルレンズ１６０の中央部を通過する。
【００２１】
また、可動筐体１３０には、閃光発生部１４０を閃光の光軸Ｌ１の方向に移動させる移動機構１５０が内蔵されている。移動機構１５０は、モータ１５２と、モータ１５２より回転されるボールネジ１５４と、閃光発生部１４０をボールネジ１５４に支持する支持部１５６とを備えている。
【００２２】
モータ１５２は、閃光発生部１４０の移動領域１５１より後方上側に配されている。モータ１５２の回転軸は、光軸Ｌ１と平行に配されており、当該回転軸とボールネジ１５４とが一体的に形成されている。即ち、ボールネジ１５４は、移動領域１５１の後方上側から光軸Ｌ１と平行に前方側へ延在している。
【００２３】
支持部１５６は、板材であって、支持部１５６の上端はボールネジ１５４に螺合され、支持部１５６の下端は反射傘１４４の上面に結合されている。また、支持部１５６は、ボールネジ１５４と平行に配されたガイドバーと摺動自在に嵌合している。このため、ボールネジ１５４がモータ１５２により回転された場合には、支持部１５６及び閃光発生部１４０は、光軸Ｌ１の方向へ移動する。
【００２４】
また、可動筐体１３０の内部には、閃光発生部１４０とメインキャパシタ１３８との間を仕切る隔壁１３９が配されている。該隔壁１３９は、移動領域１５１の下方側においてフレネルレンズ１６０の下端部まで延在している。
【００２５】
ここで、隔壁１３９における移動領域１５１の下側の部位は、移動領域１５１の後端から前後方向の中央まで光軸Ｌ１を平行に延びる後部１４６と、移動領域１５１の前後方向の中央から前端まで光軸Ｌ１に対して離間する側へ傾斜して延びる前部１４５とで構成されている。前部１４５には、光軸Ｌから離間する側へ凹んだ凹部１４７が形成されており、該凹部１４７には、温度センサ１９０が配されている。該温度センサ１９０は、計測対象物から放射された赤外光を受光して、その受光量から計測対象物の温度を計測する赤外放射温度計である。
【００２６】
温度センサ１９０の受光面１９１は、フレネルレンズ１６０の中央部に向けられる。即ち、温度センサ１９０の受光面１９１の中央部から法線方向へ延びる測定光軸Ｌ２が、フレネルレンズ１６０の中央部に到達し、且つ光軸Ｌ１と交差する。このため、温度センサ１９０は、フレネルレンズ１６０の中央部から放射された赤外光を受光する。そして、温度センサ１９０は、その受光量からフレネルレンズ１６０の中央部の温度を計測する。
【００２７】
図４は、可動筐体１３０を示す側断面図である。この図に示すように、フレネルレンズ１６０は、その中央部を中心とした矩形状の領域である集光領域１６２と、集光領域１６２の周囲を囲む拡散領域１６４とを備えている。集光領域１６２は、反射傘１４４の前端と、同等の面積、同等の形状をしており、放電管１４２が発光した閃光を集光させる。一方、拡散領域１６４は、放電管１４２が発光した閃光を拡散させる。
【００２８】
ここで、温度センサ１９０は、その測定光軸Ｌ２が、フレネルレンズ１６０の集光領域１６２と拡散領域１６４との境界部に到達するように配されている。なお、測定光軸Ｌ２とフレネルレンズ１６０との交点が、後述の第１測定点Ｐ１に相当する。
【００２９】
また、前部１４５における凹部１４７は、閃光の光路１４９より下側に配されており、当該凹部１４７に配された温度センサ１９０の受光部は、閃光の光路１４９の外側に存する。また、温度センサ１９０の受光部は、閃光発生部１４０の移動領域１５１の下方、即ち移動領域１５１の外側に存する。
【００３０】
上述の電子回路１８２は、ＣＰＵ１６６と、メモリ１６７と、発光制御回路１６８と、モータドライバ１７０とを備えている。ＣＰＵ１６６は、照明装置１００全体の制御を司る。また、ＣＰＵ１６６は、フレネルレンズ１６０の最高温度を検出する温度検出回路を備えている。また、メモリ１６７は、上記温度検出回路が、フレネルレンズ１６０の最高温度（即ち、後述の測定点Ｐ２の温度）を算出するに際して用いる、第１測定点Ｐ１の測定温度と最高温度との相関関係を示す演算式を記憶している。
【００３１】
また、発光制御回路１６８は、メインキャパシタ１３８の放電及び充電を制御する昇圧回路と、放電管１４２の発光のオン／オフの切替、発光量の調整等を実施する光源制御回路とを含んでいる。また、モータドライバ１７０は、モータ１５２のオン／オフの切替、回転方向の切替等を実施する。
【００３２】
温度センサ１９０は、ＣＰＵ１６６に接続されており、温度の測定値をＣＰＵ１６６へ出力する。ＣＰＵ１６６の温度検出回路は、温度センサ１９０による第１測定点Ｐ１の測定値及びメモリ１６７に記憶された演算式から、フレネルレンズ１６０の最高温度を決定する。なお、この最高温度の決定方法については後述する。
【００３３】
そして、ＣＰＵ１６６は、フレネルレンズ１６０の最高温度が閾値以上である場合に、発光制御回路１６８へ、放電管１４２の発光禁止、及びメインキャパシタ１３８の放電禁止の指令を出力する。また、ＣＰＵ１６６は、温度センサ１９０による計測値が閾値以上である場合に、表示部２０２へ警告表示を表示させたり、スピーカーから警告音を発生させたりする。
【００３４】
図５は、フレネルレンズ１６０における上下方向の位置Ｘと温度Ｆ（Ｘ）と放電管１４２とフレネルレンズ１６０との距離との関係を示すグラフである。なお、放電管１４２の発光量は一定である。また、Ｚ１は、放電管１４２が移動領域１５１における前端（以下、ワイド端という）まで移動した状態でのフレネルレンズ１６０の温度Ｆ（Ｘ）を示している。一方、Ｚ５は、放電管１４２が移動領域１５１における後端（以下、テレ端という）まで移動した状態でのフレネルレンズ１６０の温度Ｆ（Ｘ）を示している。
【００３５】
そして、Ｚ２、Ｚ３、Ｚ４は、放電管１４２がワイド端とテレ端との中間地点に位置する状態でのフレネルレンズ１６０の温度Ｆ（Ｘ）を示している。なお、Ｚ２、Ｚ３、Ｚ４の記載順に、放電管１４２とフレネルレンズ１６０との距離が拡大する。
【００３６】
このグラフに示すように、フレネルレンズ１６０における上下方向の中央部において、フレネルレンズ１６０の温度Ｆ（Ｘ）が最高となる。また、放電管１４２とフレネルレンズ１６０との距離が短くなるほど、フレネルレンズ１６０の温度Ｆ（Ｘ）が上昇する。また、放電管１４２とフレネルレンズ１６０との距離が短くなるほど、フレネルレンズ１６０の上下端から中央にかけての温度上昇の勾配が拡大する。
【００３７】
図６は、フレネルレンズ１６０における上下方向の位置Ｘと温度Ｆ（Ｘ）と放電管１４２の発光量との関係を示すグラフである。なお、放電管１４２とフレネルレンズ１６０との距離は一定である。また、Ｖ１は、放電管１４２の発光量を最大にした状態でのフレネルレンズ１６０の温度Ｆ（Ｘ）を示している。一方、Ｖ５は、放電管１４２の発光量を最小にした状態でのフレネルレンズ１６０の温度Ｆ（Ｘ）を示している。
【００３８】
そして、Ｖ２、Ｖ３、Ｖ４は、放電管１４２の発光量が最大と最小との中間値である状態でのフレネルレンズ１６０の温度Ｆ（Ｘ）を示している。なお、Ｖ２、Ｖ３、Ｖ４の記載順に、放電管１４２の発光量が減少する。
【００３９】
ここで、メモリ１６７に記憶された下記（数１）の演算式は、図５及び図６のプロファイルを近似した数式である。
【数１】
2011028232.tif 000003
【００４０】
Ａは、放電管１４２の発光量に比例して変化する定数であり、ＣＰＵ１６６は、発光制御回路１６８から受信した放電管１４２の発光量に基づいて算出する。また、Ｂは、第１測定点Ｐ１の測定温度であり、ＣＰＵ１６６は、温度センサ１９０から受信する。また、σは、フレネルレンズ１６０と放電管１４２との距離に比例して変化する定数であり、ＣＰＵ１６６は、モータドライバ１７０から受信した放電管１４２の位置情報に基づいて算出する。また、Ｘは、フレネルレンズ１６０の下端からの距離であり、定数である。さらに、μは、フレネルレンズ１６０の下端から中央部までの距離である。
【００４１】
即ち、本実施形態に係る照明装置１００では、温度センサ１９０によりフレネルレンズ１６０の中央部の温度を直接測定するのではなく、当該中央部から下側に外れた第１測定点Ｐ１の温度Ｂを測定する。この第１測定点Ｐ１は、ワイド端に存する閃光発生部１４０により塞がれることはない。そして、照明装置１００では、当該測定値Ｂとフレネルレンズ１６０の中央部（第２測定点Ｐ２）の温度との相関関係式から、フレネルレンズ１６０における中央部の温度、即ち、第１測定点Ｐ１より閃光の熱による影響が大きい地点の温度であり、フレネルレンズ１６０の全範囲における最高温度を算出する。これにより、放電管１４２から発光された閃光の光路を遮ることなく、フレネルレンズ１６０の最高温度を検出できる。なお、第２測定点Ｐ２をフレネルレンズ１６０における中央部、及び最高温度となる地点に設定することは必須ではない。
【００４２】
また、本実施形態に係る照明装置１００では、予め試験により取得したフレネルレンズ１６０の熱伝導率を用いて、フレネルレンズ１６０の上記第１測定点Ｐ１の温度から、フレネルレンズ１６０の中央部（第２測定点Ｐ２）の温度、即ち最高温度を算出する。即ち、照明装置１００では、測定対象物であるフレネルレンズ１６０の最高温度を直接測定する。よって、互いに離れた位置に設定された測定点間に存する誤差成分を減少でき、フレネルレンズ１６０の最高温度をより高精度に検出できる。
【００４３】
また、フレネルレンズ１６０と放電管１４２との距離、及び放電管１４２の発光量の大小により、第１測定点Ｐ１とフレネルレンズ１６０の中央部に設定された第２測定点Ｐ２との相関関係が変化するところ、照明装置１００では、これらをパラメータとする熱伝導率の演算式を用いている。よって、放電管１４２の光軸Ｌ１方向の位置、及び放電管１４２の発光量を変化させた場合でも、フレネルレンズ１６０の最高温度を高精度に検出できる。
【００４４】
また、温度センサ１９０の受光部を、放電管１４２から発光された閃光の光路１４９の外に配置することができることにより、温度センサ１９０の周辺温度の上昇を抑制できる。よって、温度センサ１９０の計測値の誤差成分を減少でき、以って、温度センサ１９０によるフレネルレンズ１６０の温度測定の精度を向上できる。
【００４５】
また、温度センサ１９０を、閃光発生部１４０の移動経路の外側に配したことにより、温度センサ１９０により閃光発生部１４０の可動範囲が制限されることを防止できる。特に、閃光発生部１４０のワイド端側への移動範囲が温度センサ１９０により制限されることを防止できる。
【００４６】
なお、本実施形態では、温度センサ１９０として赤外光を受光してその受光量から測定対象物の温度を計測する赤外放射温度センサを用いた。しかし、温度センサ１９０としては、可視光を受光してその受光量から測定対象物の温度を計測する他の放射温度センサも適用できる。また、放電管１４２として照明光としての閃光を発光するキセノン管を用いたが、ＬＥＤを用いてもよい。
【００４７】
また、本実施形態では、メモリ１６７に記憶された第１測定点Ｐ１と第２測定点Ｐ２との相関関係を示す演算式を用いて、第２測定点Ｐ２の温度を決定した。しかし、第１測定点Ｐ１と第２測定点Ｐ２との相関関係を示すマップ又はテーブルをメモリ１６７に記憶して、当該マップ又はテーブルから、第２測定点Ｐ２の温度を読み出すことにより、第２測定点Ｐ２の温度を決定してもよい。
【００４８】
例えば、Ａ１〜Ａ２、Ｂ１〜Ｂ２、σ１〜σ２の場合には、第２測定点Ｐ２の温度がＦ１となり、Ａ２〜Ａ３、Ｂ１〜Ｂ２、σ３〜σ４の場合には、第２測定点Ｐ２の温度がＦ５となる等の相関データを示すマップ又はテーブルをメモリ１６７に記憶する。そして、ＣＰＵ１６６は、発光制御回路１６８、温度センサ１９０、及びモータドライバ１７０から取得したＡ、Ｂ、σのデータに対応する第２測定点Ｐ２の温度Ｆ（Ｘ）のデータを読み出すことにより、第２測定点Ｐ２の温度を決定すればよい。
【００４９】
図７は、照明装置１００を装着した撮像装置２００の構造を模式的に示す縦断面図である。この図に示すように、撮像装置２００は、レンズユニット４１０およびボディ４６０を含む。
【００５０】
レンズユニット４１０は、マウント４５０を介して、ボディ４６０に対して着脱自在に装着される。レンズユニット４１０は、光学部材４２０、光学部材４２０を収容する鏡筒４３０、および、鏡筒４３０の内部に設けられて光学部材４２０を駆動するモータ４０１を含む。一方、ボディ４６０は、メインミラー５４０、ペンタプリズム４７０、接眼光学系４９０を含む光学系を有する。
【００５１】
メインミラー５４０は、レンズユニット４１０を介して入射した入射光の光路上に傾斜して配置される待機位置と、入射光を避けて上昇する撮影位置（図中に点線で示す）との間を移動する。待機位置にあるメインミラー５４０は、入射光の大半を、上方に配置されたペンタプリズム４７０に導く。ペンタプリズム４７０は、入射光の鏡映を接眼光学系４９０に向かって出射するので、フォーカシングスクリーン４７２の映像を接眼光学系４９０から正像として見ることができる。
【００５２】
入射光の残りは、ペンタプリズム４７０により測光ユニット４８０に導かれる。測光ユニット４８０は、入射光の強度および強度分布等を測定する。なお、ペンタプリズム４７０および接眼光学系４９０の間には、ファインダ液晶４９４に形成された表示画像を、フォーカシングスクリーン４７２からの映像に重ねるハーフミラー４９２が配置される。
【００５３】
メインミラー５４０は、入射光の入射面に対する裏面にサブミラー５４２を有する。サブミラー５４２は、メインミラー５４０を透過した入射光の一部を、下方に配置された測距ユニット５３０に導く。これにより、メインミラー５４０が待機位置にある場合は、測距ユニット５３０が被写体までの距離を測定する。なお、メインミラー５４０が撮影位置に移動した場合は、サブミラー５４２も入射光の光路から退避する。
【００５４】
更に、入射光に対してメインミラー５４０の後方には、シャッタ５２０、光学フィルタ５１０および撮像素子５００が順次配置される。シャッタ５２０が開放される場合、直前にメインミラー５４０が撮影位置に移動するので、入射光は直進して撮像素子５００に入射される。これにより、入射光の形成する画像が電気信号に変換される。
【００５５】
一方、レンズユニット４１０は、図中で左側にあたる入射端から鏡筒４３０内に順次配列された、フロントレンズ４２２、コンペンセータレンズ４２４、フォーカシングレンズ４２６およびメインレンズ４２８を含む光学系を有する。光学系は、鏡筒４３０に収容される。また、フォーカシングレンズ４２６およびメインレンズ４２８の間には、アイリスユニット４４０が配置される。
【００５６】
更に、レンズユニット４１０は、鏡筒４３０の内部に、モータ４０１を備える。モータ４０１は、光軸方向について鏡筒４３０の中程にあって相対的に小径なフォーカシングレンズ４２６の下方に配置される。これにより、鏡筒４３０の径を拡大することなく鏡筒４３０内に収容され、フォーカシングレンズ４２６を光軸方向に前進または後退させる。
【００５７】
ボディ４６０は、ボディ４６０の内部であって、上記光学系の光路を外れた位置に制御部５５０を備える。制御部５５０は、ボディ４６０内部の各部の動作を制御するに留まらず、マウント４５０を介して電気信号を送受信することにより、レンズユニット４１０内部のモータ４０１の動作も制御する。
【００５８】
照明装置１００は、ボディ４６０の頂部に設けられたアクセサリーシュー５６０に、取付脚１２２を嵌合させることにより装着される。これにより、取付部１２０と一体的に形成された固定筐体１１０は、ボディ４６０に対して固定される。また、照明装置１００の連動接点１２４を介して、ボディ４６０側の制御部５５０と通信できる状態になる。
【００５９】
制御部５５０は、ボディ４６０側の測距ユニット５３０が検出した被写体までの距離、露出等の情報を、連動接点１２４を介して照明装置１００にも通知する。これにより、照明装置１００は、ボディ４６０の動作と連動して、発光のタイミングの他、発光量等の制御をする。
【００６０】
図８は、他の撮像装置３００の構造を模式的に示す斜視図である。この図に示すように、撮像装置３００は、シャッタ４６２、モードダイアル４６４、鏡筒４３０等を備えたボディ４６０に、更に、照明装置１００を備える。照明装置１００は、ボディ４６０内における鏡筒４３０の上側に配されている。
【００６１】
図９は、他の温度測定部６０２を示す側断面図である。図１０は、温度測定部６０２の拡大図である。図９および図１０において、図４に示した可動筐体１３０と共通の要素には同じ参照番号を付して説明を省略する。図９および図１０に示す温度測定部６０２は、図３等に示した温度センサ１９０に加えて、遮断壁６０４を有する。
【００６２】
遮断壁６０４は、測定光軸Ｌ２に沿って開口した形状を有する円筒形状の部材であり、例えばアルミ、銅等の金属で形成される。この遮断壁６０４の円筒形状の底面部分に、温度センサ１９０が配される。遮断壁６０４の内面及び外面には黒い塗装が施されており、遮断壁６０４に到達した赤外光は、遮断壁６０４によって吸収される。これにより、温度センサ１９０には、当該温度センサ１９０と遮断壁６０４の開口側の先端とを結んでできる立体角の範囲内から到達した赤外線が照射される。したがって、フレネルレンズ１６０の第１測定点Ｐ１の周囲、すなわち上記立体角の範囲からの赤外光を計測することにより、温度測定部６０２の指向性を向上させて、第１測定点Ｐ１での温度測定の精度を向上することができる。
【００６３】
遮断壁６０４の開口側の先端は、光路１４９を遮らない範囲でできるだけ長く伸びている。図１０のように、遮断壁６０４の長さ方向と光路１４９とが垂直に交わらない場合は、遮断壁６０４の形状は上側面よりも下側面が長い。これにより、遮断壁６０４は光路１４９を遮ることなく、温度測定部６０２の指向性をより向上させることができる。
【００６４】
温度センサ１９０は、サーモパイル１９２およびサーミスタ１９３を備える。サーモパイル１９２は、赤外光吸収体に覆われた温接点、および、赤外光が直接当たらない位置に配された冷接点を有する。温接点に赤外光が当たって熱に変換されることにより、冷接点と温接点の間に温度差が生じて、その差に応じた起電力が発生する。温度センサ１９０は、発生した起電力に応じた温度測定値Ｔ１を出力する。
【００６５】
サーミスタ１９３は、温度によって抵抗の値が変化する酸化物半導体材料で形成される。当該サーミスタ１９３は、サーモパイル１９２の冷接点に接触しており、その抵抗値に基づいた温度測定値Ｔ２を出力する。すなわち、サーミスタ１９３は、サーモパイル１９２の冷接点の温度を計測して出力する。
【００６６】
周囲温度センサ６０６はサーミスタ１９３と同様の構造を有する。周囲温度センサ６０６は、遮断壁６０４の先端に設置される。これにより、周囲温度センサ６０６は、閃光発生部１４０の熱の影響を受けやすい遮断壁６０４の先端部分の温度を測定して、温度測定値Ｔ３を出力する。
【００６７】
図９および図１０に示す温度測定部６０２において、サーモパイル１９２には、第１測定点Ｐ１の周囲から放射された赤外光に加えて、遮断壁６０４自体から放射された赤外光も到達する。よって、第１測定点Ｐ１の温度をより正確に測定するには、遮断壁６０４からの赤外光の寄与分を補正することが好ましい。
【００６８】
当該補正をすべく、まず、ＣＰＵ１６６は、サーミスタ１９３による温度測定値Ｔ２をサーモパイル１９２の冷接点の温度として、周囲温度センサ６０６による温度測定値Ｔ３を遮断壁６０４の温度として取得する。そしてＣＰＵ１６６は、温度測定値Ｔ１に対して、温度測定値Ｔ２を加算するとともに、温度測定値Ｔ３を減算することにより、第1測定点Ｐ１の温度を算出する。温度測定部６０２が周囲温度センサ６０６を有するので、温度センサ１９０による遮断壁６０４の温度の影響を軽減でき、より精確に第１測定点Ｐ１の温度を測定できる。
【００６９】
なお、温度センサ１９０が、サーモパイル１９２の温度測定値に対してサーミスタ１９３の温度測定値を加算した値を出力する場合には、温度センサ１９０の出力値に対して温度測定値Ｔ３を減算することで、第１測定点Ｐ１の温度を測定できる。
【００７０】
また上記実施形態では周囲温度センサ６０６を１つ設けた場合を例に挙げて説明したが、周囲温度センサを遮断壁６０４に複数設けてもよい。この場合に、複数の周囲温度センサの温度計測値の平均値を用いて第１測定点Ｐ１の温度を補正してもよい。複数の周囲温度センサの温度計測値の平均値を用いることにより、遮断壁６０４の位置の違いによる温度ムラの影響を軽減できる。
【００７１】
また上記実施形態では、遮断壁６０４は円筒形状であるが、他の形状でもよい。遮断壁６０４の他の形状の例は、半円筒形状、平板形状である。遮断壁６０４が半円筒形状、板形状である場合、当該遮断壁６０４は、温度センサ１９０と閃光発生部１４０の間に配される。温度センサ１９０と閃光発生部１４０との間に配されることにより、閃光発生部１４０から放射される赤外光が温度センサ１９０に到達するのを防止して、温度センサ１９０によるフレネルレンズ１６０の温度測定の精度を向上できる。
【００７２】
図１１は、他の温度測定部６２０を示す。図１１において、図１０に示した温度測定部６０２と共通の要素には同じ参照番号を付して説明を省略する。温度測定部６２０は、温度センサ１９０に加えて、赤外線集光レンズ６１０および把持部６１２を備える。
【００７３】
把持部６１２は、凹部１４７に設置され、赤外線集光レンズ６１０を把持する。赤外線集光レンズ６１０は、赤外光を集光するレンズであり、例えば、凸レンズである。赤外線集光レンズ６１０は、第１測定点Ｐ１の周囲から発した赤外光を、温度センサ１９０の受光面１９１に集光する。これにより、赤外線集光レンズ６１０は第１測定点Ｐ１の周囲から発した赤外光以外の赤外光が温度センサ１９０に到達するのを防いで、温度測定部６２０の指向性を向上させることができる。
【００７４】
把持部６１２による把持の代わりに、図１０の遮断壁６０４で赤外線集光レンズ６１０を保持してもよい。遮断壁６０４に赤外線集光レンズ６１０を設置することにより、温度測定部６２０の指向性をより向上させることができる。
【００７５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７７】
１００  照明装置、１１０  固定筐体、１１１  補助光光源、１１２  電池室、１１３  リモート用レディライト、１１４  液晶表示パネル、１１５  カバー、１１６  レディライト、１１８  ボタン、１１９  ダイアル、１２０  取付部、１２２  取付脚、１２４  連動接点、１３０  可動筐体、１３２  水平回動部、１３４  垂直回動部、１３６  ロック解除ボタン、１３８  メインキャパシタ、１３９  隔壁、１４０  閃光発生部、１４１  広角拡散板、１４２  放電管、１４３  キャッチライト反射板、１４４  反射傘、１４５  前部、１４６  後部、１４７  凹部、１４９  光路、１５０  移動機構、１５１  移動領域、１５２  モータ、１５４  ボールネジ、１５６  支持部、１６０  フレネルレンズ、１６２  集光領域、１６４  拡散領域、１６６  ＣＰＵ、１６７  メモリ、１６８  発光制御回路、１７０  モータドライバ、１８０  電池、１８２  電子回路、１９０  温度センサ、１９１  受光面、１９２  サーモパイル、１９３  サーミスタ、２００  撮像装置、２０２  表示部、２０４  操作部、３００  撮像装置、４０１  モータ、４１０  レンズユニット、４２０  光学部材、４２２  フロントレンズ、４２４  コンペンセータレンズ、４２６  フォーカシングレンズ、４２８  メインレンズ、４３０  鏡筒、４４０  アイリスユニット、４５０  マウント、４６０  ボディ、４６２  シャッタ、４６４  モードダイアル、４７０  ペンタプリズム、４７２  フォーカシングスクリーン、４８０  測光ユニット、４９０  接眼光学系、４９２  ハーフミラー、４９４  ファインダ液晶、５００  撮像素子、５１０  光学フィルタ、５２０  シャッタ、５３０  測距ユニット、５４０  メインミラー、５４２  サブミラー、５５０  制御部、５６０  アクセサリーシュー、６００  可動筐体、６０２  温度測定部、６０４  遮断壁、６０６  周囲温度センサ、６１０  赤外線集光レンズ、６１２  把持部、６２０  温度測定部
【図１】
2011028232.tif 000004
【図２】
2011028232.tif 000005
【図３】
2011028232.tif 000006
【図４】
2011028232.tif 000007
【図５】
2011028232.tif 000008
【図６】
2011028232.tif 000009
【図７】
2011028232.tif 000010
【図８】
2011028232.tif 000011
【図９】
2011028232.tif 000012
【図１０】
2011028232.tif 000013
【図１１】
2011028232.tif 000014